(57)【要約】【課題】本発明は、装置の小型化を実現するとともにレンズシャッターの開閉動作を短時間で円滑に行うことのできるプロジェクターを提供する。【解決手段】本発明のプロジェクター１は、プリズム４１と投射レンズ３６との間に配置され、プリズム４１から投射レンズ３６へ向けて射出された光を遮断するスライド式のシャッターユニット９と、を備え、シャッターユニット９は、駆動モーターと、駆動モーターの回転駆動力を受けることにより回転するスクリューと、スクリューに係合し、スクリューの軸方向における位置を変化可能に保持されるボールネジナットと、プリズム４１から射出された光の光路上に配置され、ボールネジナットの移動に連動してスクリューの軸方向にスライド移動可能に支持されたシャッター部材と、を有する。【選択図】図１
2015184417.tif 000002
【特許請求の範囲】
【請求項１】
光源装置と、
前記光源装置から射出された光束を画像情報に応じて変調して画像光を形成する光変調
装置と、
前記光変調装置により変調された光を被投射面に投射する投射レンズと、
前記光変調装置からの光を前記投射レンズへと導く光学部材と、
前記光学部材と前記投射レンズとの間に配置され、前記光学部材から前記投射レンズへ
向けて射出された光を遮断するスライド式のシャッターユニットと、を備え、
前記シャッターユニットは、
駆動モーターと、
前記駆動モーターの回転駆動力を受けることにより回転するスクリューと、
前記スクリューに係合し、前記スクリューの軸方向における位置を変化可能に保持され
る噛合部材と、
前記光学部材から射出された光の光路上に配置され、前記噛合部材の移動に連動して前
記スクリューの軸方向にスライド移動可能に支持されたシャッター部材と、を有すること
を特徴とするプロジェクター。
【請求項２】
前記スクリューは、前記光路に対して前記軸方向が交差するように配置され、
前記スクリューの軸方向一端側に前記駆動モーターが配置されている請求項１に記載の
プロジェクター。
【請求項３】
前記シャッターユニットは、前記駆動モーターから前記スクリューへの回転駆動力を遮
断するスリップ機構を有している請求項１または２に記載のプロジェクター。
【請求項４】
前記シャッター部材のスライド移動を案内するガイド手段を備え、
前記ガイド手段は、板状の前記シャッター部材の厚さ方向への回転を規制する一対のガ
イド軸を備えている請求項１から３のいずれか一項に記載のプロジェクター。
【請求項５】
前記ガイド手段は、前記シャッター部材のスライド方向に沿って配置されたガイドレー
ル部を有し、前記ガイドレール部が前記投射レンズを保持する筐体に設けられている請求
項４に記載のプロジェクター。
【請求項６】
前記噛合部材の回転を規制する回転規制部を備え、
前記回転規制部は、前記噛合部材に係合するとともに前記シャッター部材を吊り下げた
姿勢で支持している請求項１から５のいずれか一項に記載のプロジェクター。
【請求項７】
前記スクリューが多条ネジ構造とされている請求項１から６のいずれか一項に記載のプ
ロジェクター。
【請求項８】
前記シャッター部材が、光路上に配置された閉位置、光路外に配置された開位置のいず
れの位置にあるかを検出する位置検出部を備えている請求項１から７のいずれか一項に記
載のプロジェクター。
【発明の詳細な説明】
【技術分野】
【０００１】
本発明は、プロジェクターに関するものである。
【背景技術】
【０００２】
従来、プロジェクターにおいて、スクリーン等に表示されている投射画像を一時的に中
断する（以下、画像ミュート機能と言う）ために投射光を遮断する目的で、光源の近くに
シャッターユニットを搭載したものがある。このシャッターユニットを動作させることで
光源装置から射出された光束を遮断して、画像ミュートに設定するようになっている。し
かしながら、光源の近くでは光路の範囲が広いためシャッター部材の移動量が大きく、光
路を遮断するまでに時間がかかってしまう。
【０００３】
そこで、光源側に比べて光路の範囲が狭い、投射レンズと色合成光学装置（クロスダイ
クロイックプリズム）との間に、光源装置から射出された光を遮断するためのレンズシャ
ッターが配置された構成が提案されている（特許文献１）。特許文献１は、アームを傾動
させることによってシャッター部材の開閉動作を行う構成となっている。
【先行技術文献】
【特許文献】
【０００４】
【特許文献１】特開２０１０−６１０５２号公報
【発明の概要】
【発明が解決しようとする課題】
【０００５】
しかしながら、投射レンズと色合成光学装置との間にシャッター部材を配置するための
スペースを確保する必要があり、装置が大型化していた。
【０００６】
本発明は、上記従来技術の問題点に鑑み成されたものであって、装置の小型化を実現す
るとともにシャッター部材の開閉動作を短時間で円滑に行うことのできるプロジェクター
を提供することを目的の一つとしている。
【課題を解決するための手段】
【０００７】
本発明のプロジェクターは、光源装置と、前記光源装置から射出された光束を画像情報
に応じて変調して画像光を形成する光変調装置と、前記光変調装置により変調された光を
被投射面に投射する投射レンズと、前記光変調装置からの光を前記投射レンズへと導く光
学部材と、前記光学部材と前記投射レンズとの間に配置され、前記光学部材から前記投射
レンズへ向けて射出された光を遮断するスライド式のシャッターユニットと、を備え、前
記シャッターユニットは、駆動モーターと、前記駆動モーターの回転駆動力を受けること
により回転するスクリューと、前記スクリューに係合し、前記スクリューの軸方向におけ
る位置を変化可能に保持される噛合部材と、前記光学部材から射出された光の光路上に配
置され、前記噛合部材の移動に連動して前記スクリューの軸方向にスライド移動可能に支
持されたシャッター部材と、を有することを特徴とする。
【０００８】
本発明の構成によれば、光源装置側に比べて光路範囲の狭い、投射レンズと光学部材と
の間にシャッターユニットを配置することにより、光源装置の近傍に配置する場合よりも
シャッター部材の開閉に伴うスライド量を小さくすることができる。これにより、シャッ
ター部材の開閉時間も短縮される。
【０００９】
また、前記スクリューは、前記光路に対して前記軸方向が交差するように配置され、前
記スクリューの軸方向一端側に前記駆動モーターが配置されている構成としてもよい。
この構成によれば、シャッターユニットの占有スペースが小さくなり、装置の大型化を
阻止することができる。
【００１０】
また、前記シャッターユニットは、前記駆動モーターから前記スクリューへの回転駆動
力を遮断するスリップ機構を有している構成としてもよい。
この構成によれば、シャッター部材を閉じるタイミングに合わせて駆動モーターを停止
させる必要がなくなるため、駆動モーターに負荷がかかるのを回避することができる。
【００１１】
また、前記シャッター部材のスライド移動を案内するガイド手段を備え、前記ガイド手
段は、板状の前記シャッター部材の厚さ方向への回転を規制する一対のガイド軸を備えて
いる構成としてもよい。
これによれば、シャッター部材をスクリューの軸方向に沿ってスムーズにスライド移動
させることができる。
【００１２】
また、前記ガイド手段は、前記シャッター部材のスライド方向に沿って配置されたガイ
ドレール部を有し、前記ガイドレール部が前記投射レンズを保持する筐体に設けられてい
る構成としてもよい。
これによれば、既存の構成部材である投射レンズの筐体を有効に活用することができ、
重量の面でも有利となる。
【００１３】
また、前記噛合部材の回転を規制する回転規制部を備え、前記回転規制部は、前記噛合
部材に係合するとともに前記シャッター部材を吊り下げた姿勢で支持している構成として
もよい。
これによれば、光源装置からの光を受けて温度が上昇することに起因するシャッター部
材の熱膨張を緩和することができる。
【００１４】
また、前記スクリューが多条ネジ構造とされている構成としてもよい。
これによれば、スクリューの回転に伴う噛合部材の軸方向への移動量が大きくなり、シ
ャッター部材の開閉時間を短縮することができる。
【００１５】
また、前記シャッター部材が、光路上に配置された閉位置、光路外に配置された開位置
のいずれの位置にあるかを検出する位置検出部を備えている構成としてもよい。
これによれば、位置検出部によって検出されるシャッター部材の開閉状態に連動して、
光源装置からの光量を調整することが可能となる。位置検出部の検出結果に応じて光量を
調整することによって、光源装置からの光を受けて温度が上昇することに起因するシャッ
ター部材の熱膨張を緩和することができる。
【図面の簡単な説明】
【００１６】
【図１】本発明に係る一実施形態のプロジェクターの概略構成を示す模式図。
【図２】シャッターユニットの配置位置を示す図。
【図３】シャッターユニットの構成を示す図。
【図４】駆動伝達機構及びその周辺の機構の構成を示す図であり、（Ｂ）は、スリップ機構の構成を示す図。
【図５】シャッター部材の取り付け状態を示す図であって、図３のＡ−Ａ’線に沿う断面図。
【図６】シャッターユニットの開状態を示す図。
【図７】シャッターユニットが投射レンズベースに取り付けられた状態を示す図。
【図８】位置検出部を示す図。
【発明を実施するための形態】
【００１７】
以下、本発明の実施形態につき、図面を参照して説明する。本実施形態のプロジェクタ
ーは、光源から射出された光束を画像情報に応じて変調してスクリーン等に拡大投射する
。なお、以下の説明に用いる各図面では、各部材を認識可能な大きさとするため、各部材
の縮尺を適宜変更している。
【００１８】
［プロジェクター］
図１は、本発明に係る一実施形態のプロジェクターの概略構成を示す模式図である。図
２は、シャッターユニットの配置位置を示す図である。図３は、シャッターユニットの構
成を示す図である。図４（Ａ）は、駆動伝達機構及びその周辺の機構の構成を示す図であ
り、（Ｂ）は、スリップ機構の構成を示す図である。図５は、シャッター部材の取り付け
状態を示す図であって、図３のＡ−Ａ’線に沿う断面図である。図６は、シャッターユニ
ットの開状態を示す図である。図７は、シャッターユニットが投射レンズベースに取り付
けられた状態を示す図である。図８は、位置検出部を示す図である。
【００１９】
プロジェクター１は、図１に示すように、外装を構成する外装筐体２、制御部１５、光
源装置（照明光学系）３１を有する光学ユニット３及びシャッターユニット９を備えてい
る。なお、図示は省略するが、外装筐体２の内部には、さらに、光源装置３１や制御部１
５に電力を供給する電源装置等が配置されている。
【００２０】
外装筐体２は、詳細な説明は省略するが、上部を構成する上ケース、下部を構成する下
ケース等を有し、これらはネジ等により固定されている。
【００２１】
制御部１５は、ＣＰＵ（Central Processing Unit）やＲＯＭ（Read Only Memory）、
ＲＡＭ（Random Access Memory）等を備え、コンピューターとして機能するものであり、
プロジェクター１の動作の制御、例えば、画像の投写に関わる制御を行う。
【００２２】
光学ユニット３は、制御部１５による制御の下、光源装置３１から射出された光束を光
学的に処理して投射する。光学ユニット３は、図１に示すように、光源装置３１に加え、
インテグレーター照明光学系３２、色分離光学系３３、リレー光学系３４、光学装置４、
投射レンズ（投射光学系）３６、およびこれらの部材を光路上の所定位置に配置する光学
部品用筐体３８を備えている。
【００２３】
光学ユニット３は、例えば図１に示すように平面視略Ｌ字状に形成され、一方の端部に
光源装置３１が着脱可能に配置され、他方の端部に投射レンズ３６が配置される。なお、
以下では、説明の便宜上、光源装置３１から光束が射出される方向を＋Ｘ方向、投射レン
ズ３６から光束が射出される方向を＋Ｙ方向（前側）、プロジェクター１が机上等に据え
おかれた据え置き姿勢における上方を＋Ｚ方向（上側）として記載する。
【００２４】
光源装置３１は、超高圧水銀ランプやメタルハイドロランプ等から成る放電型の光源３
１１およびリフレクター３１２等を備える。光源装置３１は、光源３１１から射出された
光束をリフレクター３１２によって射出方向を揃え、インテグレーター照明光学系３２に
向けて射出する。
【００２５】
インテグレーター照明光学系３２は、第１レンズアレイ３２１、第２レンズアレイ３２
２、偏光変換素子３２３、および重畳レンズ３２４を備える。
【００２６】
第１レンズアレイ３２１は、光源装置３１から射出された光束を複数の部分光束に分割
する光学部材であり、光源装置３１から射出された光束の光軸Ｌに対して略直交する面内
にマトリクス状に配列される複数の小レンズを備えている。
【００２７】
第２レンズアレイ３２２は、第１レンズアレイ３２１と略同様の構成を有しており、重
畳レンズ３２４とともに、第１レンズアレイ３２１から射出された部分光束を後述する光
変調装置の表面に重畳させる。
【００２８】
偏光変換素子３２３は、第２レンズアレイ３２２から射出されたランダム光を光変調装
置で利用可能な略１種類の偏光光に備える機能を有する。
【００２９】
色分離光学系３３は、２枚のダイクロイックミラー３３１，３３２及び反射ミラー３３
３を備え、インテグレーター照明光学系３２から射出された光束を赤色光（以下「Ｒ光」
という）、緑色光（以下「Ｇ光」という）、青色光（以下「Ｂ光」という）の３色の色光
に分離する機能を有する。
【００３０】
リレー光学系３４は、入射側レンズ３４１、リレーレンズ３４３及び反射ミラー３４２
，３４４を備え、色分離光学系３３で分離されたＲ光をＲ光用の液晶パネルまで導く機能
を有する。なお、光学ユニット３は、リレー光学系３４がＲ光を導く構成としているが、
これに限らず、例えば、Ｂ光を導く構成としてもよい。
【００３１】
光学装置４は、図１に示すように、Ｒ光、Ｇ光、Ｂ光の各色光用に設けられた電気光学
装置５（Ｒ光用の電気光学装置を５Ｒ、Ｇ光用の電気光学装置を５Ｇ、Ｂ光用の電気光学
装置を５Ｂとする）、色合成光学装置としてクロスダイクロイックプリズム（光学部材）
４１及びクロスダイクロイックプリズム４１を固定する支持部材６を備えている。光学装
置４は、色分離光学系３３で分離された各色光を画像情報に応じて変調し、変調した各色
光を合成する。
【００３２】
各電気光学装置５は、図１に示す、入射側偏光板５１、光変調装置（冷却対象物）５２
（Ｒ光用の光変調装置５２Ｒ，Ｇ光用の光変調装置５２Ｇ、Ｂ光用の光変調装置５２Ｂと
する）、射出側偏光板５４、装置収納部７を備えている。
【００３３】
入射側偏光板５１は、光変調装置５２の光路前段側に配置される光学素子であり、色分
離光学系３３で分離された各色光のうち、偏光変換素子３２３で揃えられた偏光光を透過
し、その偏光光と異なる偏光光を吸収して光変調装置５２に射出する。
【００３４】
光変調装置５２は、詳細な図示は省略するが、一対の透明なガラス基板に液晶が密封封
入された液晶パネルを備え、微小画素がマトリックス状に形成された矩形状の画素領域を
有している。光変調装置５２は、パネル枠（不図示）に外周が保持され、フレキシブル基
板ＦＰを介して制御部１５に接続されている。光変調装置５２は、制御部１５から入力さ
れた駆動信号に応じて液晶の配向状態が制御され、入射する色光を画像情報に応じて変調
する。
【００３５】
射出側偏光板５４は、光変調装置５２の光路後段側に配置される光学素子である。射出
側偏光板５４は、入射側偏光板５１と略同様の機能を有し、光変調装置５２にて変調され
た色光のうち一定方向の偏光光を透過し、その偏光光と異なる偏光光を吸収してクロスダ
イクロイックプリズム４１に射出する。
【００３６】
装置収納部７は、入射側偏光板５１、光変調装置５２および射出側偏光板５４を収納し
、入射側偏光板５１および射出側偏光板５４とで筒状に形成されている。
保持部材８１は、入射側偏光板５１が接着固定され、装置収納部７に取り付けられる。
保持部材８２は、射出側偏光板５４が接着固定され、装置収納部７に取り付けられる。
【００３７】
クロスダイクロイックプリズム４１は、４つの直角プリズムを貼り合わせた平面視略正
方形上をなし、電気光学装置５Ｒ，５Ｇ，５Ｂがそれぞれ対向して配置される３つの光束
入射側端面４１Ａを有している。
【００３８】
そして、クロスダイクロイックプリズム４１は、直角プリズム同士を貼り合せた界面に
、２つの誘電体多層膜が形成されている。クロスダイクロイックプリズム４１は、誘電体
多層膜が電気光学装置５Ｒ，５Ｂから射出された色光を反射し、電気光学装置５Ｇから射
出された色光を透過して、各色光を合成する。
【００３９】
支持部材６は、クロスダイクロイックプリズム４１の下方に配置され、クロスダイクロ
イックプリズム４１を支持する。入射側偏光板５１、光変調装置５２および射出側偏光板
５４を収納した上述の装置収納部７は、クロスダイクロイックプリズム４１に対する位置
の調整が行われた後に、支持部材６に固定される。
【００４０】
投射レンズ３６は、複数のレンズを組み合わせた組レンズとして構成され、クロスダイ
クロイックプリズム４１にて合成された光をスクリーン（被投射面）ＳＣ上に拡大投射す
る。
【００４１】
シャッターユニット９は、図２に示すように、光学装置４のクロスダイクロイックプリ
ズム４１と投射レンズ３６との間の光路上に配置され、クロスダイクロイックプリズム４
１から投射レンズ３６へ向けて射出された光束を遮断する。
【００４２】
（シャッターユニットの構成）
次に、シャッターユニットの構成について、図３〜図８を用いて詳述する。
シャッターユニット９は、図３に示すように、ユニット筐体８、ボールネジ機構１０、
駆動モーター１３、シャッター部材１４、駆動伝達機構１６（図４（Ａ））、回転規制部
１７、ガイド機構（ガイド手段）２０、およびスライド位置検出部４３（図８）を備える
。さらに、本実施形態のシャッターユニット９は、スリップ機構１８（図４（Ｂ））を有
する。スリップ機構１８は、駆動伝達機構１６に含まれる。
【００４３】
ボールネジ機構１０は、図３及び図４（Ａ）に示すようにスクリュー１１とボールネジ
ナット（噛合部材）１２とから構成される。
スクリュー１１は、長手方向が光路に交差するようにＺ方向に沿って配置され、一端側
に駆動モーター１３が連結され、他端側が回転規制部１７に挿入されている。スクリュー
１１は、駆動伝達機構１６を介して伝達される駆動モーター１３の駆動力によって、軸回
りに回転する。スクリュー１１は多条ネジ構造とされており、本実施形態では２条ネジ構
造とされている。
【００４４】
ボールネジナット１２は、スクリュー１１に螺合し、スクリュー１１の回転に伴ってス
クリュー１１の軸方向における位置を変化可能に保持されている。
【００４５】
回転規制部１７は、シャッター部材１４を支持するとともにボールネジナット１２に係
合している。回転規制部１７がボールネジナット１２に固定されることで、ボールネジナ
ット１２の回転が規制され、ひいてはシャッター部材１４のスクリュー１１の軸回りへの
回転が規制されることになる。
【００４６】
シャッター部材１４は、回転規制部１７を介してボールネジ機構１０に連結され、駆動
モーター１３の駆動によって動作するボールネジ機構１０によってスライド移動する。シ
ャッター部材１４は、平面視矩形状の板部材からなり、一面がクロスダイクロイックプリ
ズム４１に対向して配置されている。本実施形態では、長手方向がＺ方向に沿う姿勢でシ
ャッター部材１４配置され、同方向に沿って移動する。具体的には、光路上へ前進した閉
位置（図３）と、光路外に退避した開位置（図６）と、の間をスライド移動する。
【００４７】
シャッター部材１４は、図５に示すように、回転規制部１７に対してワッシャー３７及
びネジ部３９を介して取り付けられている。シャッター部材１４は、貫通穴１４ａ、１４
ａ内に挿入される回転規制部１７の凸部１７ｂ、１７ｂに係合した状態で吊り下げられる
。凸部１７ｂ、１７ｂの高さＨは、シャッター部材１４の板厚ｔよりも大きい寸法に設定
される。本実施形態では、板厚ｔ（ｍｍ）に許容値として例えば０．６（ｍｍ）を加えた
数値を凸部１７ｂ，１７ｂの高さＨ（ｍｍ）としている。なお、許容値は上記した０．６
ｍｍに限らない。
【００４８】
ガイド機構２０は、図３に示すように、シャッター部材１４のスライド方向に沿って配
置されたガイドレール部２９と、一対のガイド軸３０，３０と、を備えている。
ガイドレール部２９は、板金２７と一対のガイドレール２８とを備え、板金２７と各ガ
イドレール２８との間にシャッター部材１４をガイドする案内溝２８ａを有している。板
金２７は、シャッター部材１４の３辺を囲むように平面視でコ字状をなし、上下移動する
シャッター部材１４の底部１４ｃが突き当たるストッパー機能を兼ね備えた構成になって
いる。一対のガイドレール２８，２８は、合成樹脂材料からなる。
【００４９】
ガイドレール部２９は、板金２７と各ガイドレール２８との間に形成される案内溝２８
ａ内に、側部１４ｂ、１４ｂを挿入した状態で組み込まれるシャッター部材１４を、案内
溝２８ａの延在方向（Ｚ方向）に沿って案内する。
【００５０】
本実施形態では、後述する投射レンズベース４０とは別部材としてガイドレール２８，
２８を一対設けているが、この構成に限らない。例えば、ガイドレール２８，２８を投射
レンズベース４０と一体に形成してもよいし、ガイドレール２８，２８を投射レンズベー
ス４０で代用することも可能である。
【００５１】
一対のガイド軸３０，３０は、スクリュー１１に平行して配置され、回転規制部１７の
貫通孔１７ａ内にそれぞれ挿入されている。
【００５２】
シャッター部材１４は、ガイド機構２０のガイドレール部２９（案内溝２８ａ，２８ａ
）によってシャッター部材１４の一面に垂直な法線の軸回りへの回転が規制され、さらに
、一対のガイド軸３０，３０によって板厚方向への回転が規制された状態で移動すること
になる。
【００５３】
駆動伝達機構１６は、図４（Ａ），（Ｂ）に示すように伝達部１９とスリップ機構１８
とを有する。
伝達部１９は、図４（Ａ）に示すように、駆動モーター１３の駆動力をスクリュー１１
へ伝達するもので、直径の異なる３つのギア２１，２２，２３を備える。具体的には、駆
動モーター１３の回転軸１３Ａに取り付けられた第１ギア２１と、スクリュー１１の一端
に接続された第２ギア２２と、第１ギア２１と第２ギア２２とに歯合して第１ギア２１の
回転トルクを第２ギア２２へと伝達する中間ギア２３とを備える。
【００５４】
スリップ機構１８は、図４（Ｂ）に示すように、スクリュー１１を回転させる駆動伝達
経路の途中に存在し、許容範囲外のトルクの伝達を遮断する。スリップ機構１８は、一対
のプレート２４，２４と、これらプレート２４，２４間に配置され且つスクリュー１１に
装着されたスプリング２５と、スクリュー１１に設けられたスペーサー２６とを有し、一
方のプレート２４とスペーサー２６とで第２ギア２２を挟み込む構成となっている。
【００５５】
スリップ機構１８は、駆動モーター１３側からの所定トルク未満の回転に対しては、ス
プリング２５の弾性力によって一方のプレート２４を介して第２ギア２２をスペーサー２
６に押し付けることでこれら部材間に発生する摩擦力によりスクリュー１１を回転させ、
駆動モーター１３側からの所定トルク以上の回転に対しては上記摩擦力に抗してスクリュ
ー１１と第２ギア２２が空転する。これにより、シャッター部材１４を閉じた際に駆動モ
ーター１３への負荷が減り、故障等を防止できる。
【００５６】
スライド位置検出部４３は、図８に示すように、ボールネジ機構１０によってスライド
移動するシャッター部材１４の位置を検出するもので、一対の検出センサー４４，４５を
備える。検出センサー４４，４５は、スクリュー１１の軸方向に沿って互いに所定の間隔
をおいて配置され、一方の検出センサー４４によってシャッター部材１４の閉位置を検出
し、他方の検出センサー４５によってシャッター部材１４の開位置を検出する。
【００５７】
検出センサー４４，４５は、制御部１５（図１）における位置検出回路（不図示）に接
続されており、各々の検出結果を位置検出回路（不図示）へ出力する。これにより制御部
１５は、シャッター部材１４のスライド位置に応じて駆動モーター１３の回転方向を規定
し、ボールネジ機構１０を動作させる。
【００５８】
ユニット筐体８は、図３及び図７に示すように、ボールネジ機構１０、駆動モーター１
３、駆動伝達機構１６（スリップ機構１８）、ガイド機構２０およびスライド位置検出部
（位置検出部）４３を保持する。ユニット筐体８は、投射レンズ３６（図１）を保持する
投射レンズベース（筐体）４０に固定されている。本実施形態のユニット筐体８は、複数
の取付ネジ４２を介して投射レンズベース４０に取り付けられているが、ユニット筐体８
と投射レンズベース４０とが一体に形成されていてもよい。これにより、既存の構成部材
である投射レンズベース４０を利用してシャッターユニット９を設けることができる。
【００５９】
本実施形態のプロジェクター１は、クロスダイクロイックプリズム４１と投射レンズ３
６との間にボールネジ機構１０を有したシャッターユニット９を備えている。シャッター
ユニット９は、ボールネジ機構１０を構成するスクリュー１１の軸方向が光路に交差する
ようにＺ方向に沿った姿勢で設けられており、駆動伝達機構１６を介して接続された駆動
モーター１３の駆動によって、シャッター部材１４をスクリュー１１の軸方向（Ｚ方向）
へスイドさせる。
【００６０】
本実施形態のシャッターユニット９は、シャッター部材１４をスライド移動させる機構
がスクリュー１１とボールネジナット１２とを有してなるボールネジ機構１０からなる。
また、光路に交差する方向へ延在するスクリュー１１の上端側に駆動モーター１３が配置
されている。シャッター部材１４を上下移動させるためにボールネジ機構１０を用いるこ
とで、シャッターユニット９が小型になり、シャッターユニット９が外装筐体２内で占有
する領域は小さくなる。このため、外装筐体２内の狭小なスペースにシャッターユニット
９を配置することが可能となる。よって、既存の構成において、投射レンズベース４０内
あるいはその近傍の空きスペースにシャッターユニット９を設けることができ、装置内の
スペースを有効に活用することが可能である。したがって、投射レンズ３６とクロスダイ
クロイックプリズム４１との間にシャッターユニット９を配置するためのスペースを新た
に確保する必要がなくなり、装置が大型化するのを阻止することができる。
【００６１】
また、光源装置３１側に比べて光路範囲（ＸＺ面における光路範囲）の狭い、投射レン
ズ３６とクロスダイクロイックプリズム４１との間にシャッターユニット９を配置するこ
とにより、光源装置３１の近傍に配置する場合よりもシャッター部材１４の開閉に伴うス
ライド量を小さくすることができる。つまり、シャッター部材１４の開位置と閉位置との
距離を短くすることができる。これにより、シャッター部材１４の開閉時間が短縮され、
画像ミュート機能が向上する。
【００６２】
また、ボールネジ機構１０のスクリュー１１は２条ネジ構造とされており、スクリュー
１１の１回転におけるボールネジナット１２の移動量を大きくしている。つまり、シャッ
ター部材１４の開位置と閉位置との間におけるシャッター部材１４の移動量が大きくなる
ため、より迅速にシャッター部材１４の開閉を行える。これにより、シャッター部材１４
の開閉動作を短時間で円滑に行え、画像ミュート機能の応答性が向上する。
【００６３】
また、本実施形態のシャッターユニット９は、駆動モーター１３からの駆動伝達経路上
にスリップ機構１８を備え、シャッター部材１４を閉じた際にスクリュー１１と第２ギア
２２が空転する構成になっている。シャッター部材１４が閉位置に移動するタイミングに
合わせて駆動モーター１３の駆動を停止させる必要がなくなるため、より性能（回転速度
）の高いＤＣモーターを用いることが可能となる。これにより、シャッター部材１４の開
閉動作をさらに短時間で行えるようになる。
【００６４】
また、シャッターユニット９の各構成部材を保持するユニット筐体８の少なくとも一部
を投射レンズベース４０で代用することが可能であるため、重量の面でも有利である。
【００６５】
また、本実施形態のシャッターユニット９は、シャッター部材１４を吊り下げた状態で
支持しており、シャッター部材１４を拘束しない構成になっている。このため、画像ミュ
ート設定時間が比較的長い時間であったとしても、熱によるシャッター部材１４の膨張を
許容することができる。本実施形態では、高温になり易い光源装置３１側から最も離れた
投射レンズ３６の近傍にシャッターユニット９（シャッター部材１４）が配置されている
ので、シャッター部材１４の温度が急激に上昇しにくく、シャッター部材１４の熱膨張を
緩和することができる。これにより、シャッター部材１４のスムーズなスライド移動が維
持される。
【００６６】
また、本実施形態では、スライド位置検出部４３の検出結果に応じて例えば光源装置３
１の出力を調整することにより、光の照射を受けて温度が上昇しやすい閉位置にあるシャ
ッター部材１４の熱膨張を防ぐことができる。
【００６７】
以上、添付図面を参照しながら本発明に係る好適な実施形態について説明したが、本発
明は係る例に限定されないことは言うまでもない。当業者であれば、特許請求の範囲に記
載された技術的思想の範疇内において、各種の変更例または修正例に想到し得ることは明
らかであり、それらについても当然に本発明の技術的範囲に属するものと了解される。
【符号の説明】
【００６８】
１…プロジェクター、９…シャッターユニット、１１…スクリュー、１２…ボールネジ
ナット、１３…駆動モーター、１４…シャッター部材、１７…回転規制部、１８…スリッ
プ機構、２０…ガイド機構（ガイド手段）、３０…ガイド軸、３１…光源装置、３６…投
射レンズ、４０…投射レンズベース（筐体）、４１…クロスダイクロイックプリズム（光
学部材）、４３…スライド位置検出部（位置検出部）、５２，５２Ｂ，５２Ｇ，５２Ｒ…
光変調装置、ＳＣ…スクリーン（被投射面）、３１１…光源
【図１】
2015184417.tif 000003
【図２】
2015184417.tif 000004
【図３】
2015184417.tif 000005
【図４】
2015184417.tif 000006
【図５】
2015184417.tif 000007
【図６】
2015184417.tif 000008
【図７】
2015184417.tif 000009
【図８】
2015184417.tif 000010